(57)【特許請求の範囲】
【請求項１】
テレビカメラのカメラ本体に装着され、該カメラ本体の撮像部に撮影レンズを介して被写体像を導くとともに、前記カメラ本体のコネクタに装着されるコネクタを通じて前記カメラ本体と各種信号のやり取りを行うテレビカメラのレンズ装置において、
記録媒体を着脱可能に装着する記録媒体装着手段と、
前記記録媒体装着手段に装着される記録媒体であって、予め前記カメラ本体のコネクタのピンアサイン、やり取りする信号の種類、電圧レベル等の信号の形態を示す仕様データを記録した記録媒体と、
前記記録媒体装着手段に装着された前記記録媒体に記録された仕様データに基づいて前記カメラ本体の信号の形態に適合させて前記レンズ装置と前記カメラ本体との間で信号のやり取りを行う制御手段と、
を備えたことを特徴とするテレビカメラのレンズ装置。
【発明の詳細な説明】
【０００１】
【発明の属する技術分野】
本発明はテレビカメラのレンズ装置に係り、特にテレビカメラのカメラ本体と信号のやり取りを行うテレビカメラのレンズ装置に関する。
【０００２】
【従来の技術】
従来、テレビカメラは、ＣＣＤ等の撮像手段を有するカメラ本体と、フォーカスやズーム等の調整を行うレンズを有するレンズ装置とから構成されている。レンズ装置はマウントによりカメラ本体に取り付けられるとともにコネクタによってカメラ本体と電気的に接続され、カメラ本体とレンズ装置の間でデータのやり取りが行われるようになっている。
【０００３】
【発明が解決しようとする課題】
しかしながら、レンズ装置が接続されるカメラ本体のマウント、コネクタの形状等の機械的仕様や、コネクタのピンアサイン、データの内容、電圧レベル等の電気的仕様（信号の形態）は統一されておらず、メーカーや機種によって異なる場合がある。このため、従来は、機械的仕様や電気的仕様が異なるカメラには、同一のレンズ装置を使用することができなかった。
【０００４】
一方、機械的仕様が一致するカメラにおいては、同一のレンズ装置を取り付けることが可能なため、従来、レンズ装置にピンアサイン、データの内容、電圧レベルを全て内蔵しておき、スイッチによってアナログ的に電気的仕様を切り換えて、電気的仕様が異なるカメラにも適応できるようにしたレンズ装置が提案されている。
【０００５】
しかし、デジタル化が普及している中で、予め各レンズ装置に複数のピンアサインやデータを用意しておくことは、コストが高くなるという問題があった。
本発明はこのような事情に鑑みてなされたもので、電気的仕様が異なるカメラ機種に対して使用でき、且つ、低コストで実現できるテレビカメラのレンズ装置を提供することを目的とする。
【０００６】
【課題を解決するための手段】
本発明は前記目的を達成するために、テレビカメラのカメラ本体に装着され、該カメラ本体の撮像部に撮影レンズを介して被写体像を導くとともに、前記カメラ本体のコネクタに装着されるコネクタを通じて前記カメラ本体と各種信号のやり取りを行うテレビカメラのレンズ装置において、記録媒体を着脱可能に装着する記録媒体装着手段と、前記記録媒体装着手段に装着される記録媒体であって、予め前記カメラ本体のコネクタのピンアサイン、やり取りする信号の種類、電圧レベル等の信号の形態を示す仕様データを記録した記録媒体と、前記記録媒体装着手段に装着された前記記録媒体に記録された仕様データに基づいて前記カメラ本体の信号の形態に適合させて前記レンズ装置と前記カメラ本体との間で信号のやり取りを行う制御手段と、を備えたことを特徴としている。
【０００７】
本発明によれば、記録媒体に記録されたカメラ本体の仕様データに基づきインターフェースによってカメラ本体の信号の形態に適合させた信号のやり取りを行うようにしたため、レンズ装置を接続するカメラ本体の信号の形態（電気的仕様）に応じて記録媒体に記録された仕様データを変更することにより、容易、且つ、低コストで任意機種のカメラ本体との信号のやり取りが可能となる。
【０００８】
【発明の実施の形態】
以下添付図面に従って本発明に係るテレビカメラのレンズ装置の好ましい実施の形態について詳説する。
図１は本発明のレンズ装置が適用されるテレビカメラの斜視図である。同図に示すようにテレビカメラ１０は、レンズ装置１２と、カメラ１４から構成され、カメラ１４には、ビューファインダー１６が設けられている。前記レンズ装置１２とカメラ１４とは取付部１８において取り付けられ、テレビカメラ１０は雲台２０上に固定される。
【０００９】
雲台２０から延設されたパン・チルト棒２２のグリップ部２４には、ズームスピード等を操作するレンズコントローラ２６が取り付けられ、レンズコントローラ２６の操作は指示信号として、ケーブル２８を介してレンズ装置１２に伝達される。
図２及び図３は、上記レンズ装置１２の取付部１８の構成を示した正面図及び側面図である。これらの図に示すようにマウント４０の中央部にバヨネットマウント４２が設けられ、このバヨネットマウント４２はカメラ１４に接続される。
【００１０】
マウント４０の上部には、矩形状の凹部４４が水平方向に形成される。この凹部４４には、係合板４４Ａが凹部４４に沿って固着されており、この係合板４４Ａがカメラ１４に設けられた係合板と係合することによりレンズ装置１２の光軸とカメラ１４の光軸の上下方向の一致が図られる。
一方、マウント４０の下部には位置決めピン４６が設けられる。この位置決めピン４６がカメラ１４に設けられた穴に嵌合することによりレンズ装置１２の光軸とカメラ１４の光軸の水平方向の一致が図られる。
【００１１】
また、マウント４０の右下部にはコネクタ４８が設置される。このコネクタ４８は、着脱可能なコンバートユニット５０に設置されており、カメラ１４のコネクタの位置、形状に適合させて所望位置、所望形状のコネクタ４８を備えたコンバートユニット５０をマウント４０に取り付けることにより、レンズ装置１２のコネクタ４８とカメラ１４のコネクタとが適切に接続されるようになっている。尚、コンバートユニット５０をマウント４０に取り付けると、内部コネクタにより、このコンバートユニット５０のコネクタ４８がレンズ装置１２の内部のインターフェースに接続されるようになっている。
【００１２】
レンズ装置１２の側面にはメモリーカードドライバ６０が設けられる。このメモリーカードドライバ６０には、カメラ１４の仕様データが記録されたメモリーカードが装填される。尚、これらのメモリーカードドライバ６０、メモリーカードについては後述する。
図４は、上記レンズ装置１２の内部構成図である。レンズ装置１２には、フォーカスレンズ１００、変倍系レンズ１０２Ａと補正系レンズ１０２Ｂとからなるズームレンズ１０２、絞り１０４及びマスターレンズ１０６等の光学部材と、各レンズや絞り１０４をそれぞれ駆動するための駆動回路１１０〜１１４及び駆動モータ１２０〜１２４と、各レンズや絞り１０４の位置を検出する検出器１３０〜１３４及びＡ／Ｄ変換器１４０〜１４４と、各光学部材の制御やカメラ１４との信号のやり取りを制御する制御回路１５０と、カメラ１４の仕様データを記録したメモリーカード６１を装填する上記メモリーカードドライバ６０と、カメラ１４のコネクタと接続する上記コネクタ４８（図２参照）を含むレンズ／カメラインターフェースユニット１５２（以下、インターフェースユニット１５２という。）が設けられている。
【００１３】
尚、周知のように、ズームレンズ１０２を構成する変倍系レンズ１０２Ａは、焦点距離を変化させ、補正系レンズ１０２Ｂは焦点位置が変動しないように補正するもので、変倍系レンズ１０２Ａ及び補正系レンズ１０２Ｂはそれぞれズームカム筒を回転させることによって光軸上を一定の関係をもって移動できるように構成されている。また、１０８は撮像素子（ＣＣＤ）であり、このレンズ装置１２が取り付けられるカメラ１４側に設けられている。
【００１４】
上記制御回路１５０は、各光学部材の制御やカメラ１４との信号のやり取りの制御を行っている。ここでは、各光学部材の制御の詳細については省略するが、例えば、図示しないレンズコントローラの操作による指示信号や、カメラ１４からの指示信号に基づいて駆動回路１１０〜１１４を制御し、モータ１２０〜１２４を駆動してフォーカスレンズ１００、ズームレンズ１０２、絞り１０４を移動させる。
【００１５】
一方、カメラ１４との信号のやり取りを行う場合について説明すると、制御回路１５０は、検出器１３０〜１３４及びＡ／Ｄ変換器１４０〜１４４を介して検出されるフォーカスレンズ１００、ズームレンズ１０２、絞り１０４の位置や、レンズ装置１２の設定情報等に基づいてカメラ１４に伝達する信号（伝達信号）を生成する。ここで生成される伝達信号の種類は、カメラ１４の仕様によって異なるが、例えば、現在のフォーカス位置信号、ズーム位置信号及びアイリス位置信号の他、フォーカススピード、ズームスピード等のレンズ装置１２における設定情報等が伝達信号として生成される。
【００１６】
そして、制御回路１５０で生成された伝達信号は、インターフェースユニット１５２を介してカメラ１４に入力される。
一方、カメラ１４からも各種伝達信号がインターフェースユニット１５２を介して制御回路１５０に入力される。カメラ１４からレンズ装置１２側に伝達される伝達信号についてもカメラ１４の仕様によって異なるが、例えば、フォーカスコントロール信号、ズームコントロール信号、アイリスコントロール信号（いずれも、フォーカス位置、ズーム位置、アイリス位置をカメラ側で制御する場合の信号）、アイリスモード信号、電源等が伝達される。
【００１７】
制御回路１５０は、カメラ１４とこれらの伝達信号を適切にやり取りするため、メモリーカードドライバ６０からメモリーカード６１に記録されたカメラ１４の仕様データを読み出し、カメラ１４の仕様に適合させる。
メモリーカード６１には、カメラ１４の電気的仕様を示す仕様データが所定のフォーマットで記録されている。この仕様データは、例えば、上記カメラ１４がレンズ装置１２とやり取りする伝達信号の種類、カメラ１４とレンズ装置１２とを接続する各信号線の伝達信号の種類（カメラ１４のコネクタの各ピンから入出力する伝達信号の種類（ピンアサイン））、電圧レベル等を示している。尚、レンズの光学的特性を示すデータを記録しておき、このデータをカメラ１４とのやり取りに使用するようにしてもよい。
【００１８】
制御回路１５０は、メモリーカードドライバ６０に装填されたメモリーカード６１からカメラ１４の仕様データを読みだすと、この仕様データに基づいてカメラ１４に伝達すべき伝達信号を生成し、生成した伝達信号をインターフェースユニット１５２に出力するとともに、カメラ１４から伝達される伝達信号をインターフェースユニット１５２から入力し、入力した伝達信号に基づいてフォーカスレンズ１００、ズームレンズ１０２及び絞り１０４等を制御する。
【００１９】
インターフェースユニット１５２は、制御回路１５０によってメモリーカード６１から読みだされた仕様データに基づいてレンズ装置１２とカメラ１４を接続するコネクタのピンアサインや電圧レベルを切り換える。即ち、カメラ１４のコネクタとレンズ装置１２のコネクタ４８の各ピンが入出力する伝達信号の種類及び電圧レベルを一致させる。これにより、レンズ装置１２とカメラ１４の信号のやり取りが可能となる。
【００２０】
尚、メモリーカードドライバ６０は、複数のメモリーカードを装填するスロットを有しており、複数のカメラ機種についての異なる仕様データを選択的に読みだせるようになっている。どのメモリーカードの仕様データを読みだすかは、例えば、ユーザが図示しないスイッチで指定するようにしてもよいし、カメラ１４から出力されるカメラ機種を特定する信号に基づいて制御回路１５０が自動で選択するようにしてもよい。また、メモリーカードドライバ６０は、必ずしも複数設ける必要はなく、カメラ機種に応じて仕様データを変更する場合には、各カメラ機種に対応したメモリーカードをメモリーカードドライバ６０に装填すればよい。あるいは、１枚のメモリーカードに複数のカメラ機種の仕様データを記録し、その中から所望の仕様データを読みだせるようにしてもよい。
【００２１】
また、仕様データを記録する記録媒体はメモリーカードに限らず、他の記録媒体でもよく、例えばＲＯＭに可能な限りのカメラ機種に対する仕様データを記録したものを制御回路１５０に接続してもよい。また、ＳＲＡＭに使用する機種の使用データを記録させるようにしてもよい。
図５は上記制御回路１５０の処理手順を示したフローチャートである。まず、レンズ装置１２の電源を投入すると、制御手段１５０はメモリーカードドライバ６０にメモリーカード６１が装填されているか否かを判定する（ステップＳ１０）。装填されていない場合、レンズ装置１２に設けられた液晶表示モニタ（図示せず）に‘メモリーカードを入れて下さい’のメッセージを表示する（Ｓ１２）。一方、メモリーカード６１が装填されている場合にはカメラ１４の電気的仕様に適合するメモリーカード６１をスイッチ等の入力に基づいて選択し（ステップＳ１４）、そのメモリーカード６１から必要な情報（仕様データ）を収集する（ステップＳ１６）。そして、この仕様データに基づいて、インターフェースユニット１５２のピンアサイン、電圧レベル等を設定し、カメラ１４と信号のやり取りを行う（ステップＳ１８）。これにより撮影が可能となる。
【００２２】
【発明の効果】
以上説明したように本発明によれば、記録媒体に記録されたカメラ本体の仕様データに基づきインターフェースによってカメラ本体の信号の形態に適合させた信号のやり取りを行うようにしたため、レンズ装置を接続するカメラ本体の信号の形態（電気的仕様）に応じて記録媒体に記録された仕様データを変更することにより、レンズ装置の電気的仕様をカメラ本体の電気的仕様に適合させることができ、容易、且つ、低コストで任意機種のカメラ本体との信号のやり取りが可能となる。従って、電気的仕様の異なる任意機種のカメラに同一のレンズ装置を適用することができるようになる。
【図面の簡単な説明】
【図１】図１は、本発明が適用されるテレビカメラの外観図である。
【図２】図２は、本発明に係るレンズ装置の取付部の正面図である。
【図３】図３は、本発明に係るレンズ装置の取付部の側面図である。
【図４】図４は、本発明に係るレンズ装置の構成図である。
【図５】図５は、本発明に係るレンズ装置の処理手順を示したフローチャートである。
【符号の説明】
１０…テレビカメラ
１２…レンズ装置
１４…カメラ
４８…コネクタ
６０…メモリーカードドライバ
６１…メモリーカード
１５０…制御回路
１５２…レンズ／カメラインターフェースユニット
【図１】
0003937251.tif 000002
【図２】
0003937251.tif 000003
【図３】
0003937251.tif 000004
【図４】
0003937251.tif 000005
【図５】
0003937251.tif 000006